(57)【特許請求の範囲】
【請求項１】
振出形式で連結される筒状の竿体の嵌合構造であって、
竿元側端部内周面に直接形成された雌ねじ部と竿元側端部内周面に竿元側端面から軸方向に直接形成された係止溝とを有する大径竿体と、
前記大径竿体の穂先側に振出形式で連結された小径竿体と、
前記小径竿体の穂先側に振出形式で連結される穂先側竿体とを備え、
前記大径竿体の雌ねじ部に脱着自在に連結される尻栓部材とを備え、
前記尻栓部材は、前記穂先側竿体の竿元側端部を嵌合可能な筒状部材であり外周面に前記係止溝に係止される係止突起を有するストッパーと、前記ストッパーの竿元側に前記ストッパーに対して周方向に相対回転可能に連結され外周面に前記雌ねじ部と螺合する雄ねじ部を有する尻栓本体とを有し、
前記大径竿体は前記雌ねじ部の穂先側に隣接する内周面に直接形成され、内径が小径化されるとともに前記小径竿体の竿元側端部外径に一致する嵌合雌部を有し、
前記小径竿体の竿元側端部は前記嵌合雌部に嵌合され、前記穂先側竿体の竿元側端部は前記尻栓部材の前記ストッパー内に嵌合される、竿体の嵌合構造。
【請求項２】
前記ストッパーは内周面に配置された弾性部材をさらに有している、請求項１に記載の竿体の嵌合構造。
【請求項３】
前記ストッパーは内周面に軸方向に形成された係止突起をさらに有している、請求項１に記載の竿体の嵌合構造。
【発明の詳細な説明】
【０００１】
【発明の属する技術分野】
本発明は、振出形式で連結される２つの竿体を嵌合固定するための嵌合構造に関する。
【０００２】
【従来の技術】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、従来の振出形式の釣竿には竿全体の長さを変化させて釣りを行えるように工夫したものがある。このように工夫された釣竿の元竿は、穂先側端部内周面に他の部分よりやや小径に形成され元上竿の竿元側端部を嵌合固定可能な第１嵌合部を有すると共に、竿元側端部内に雌ねじ部材を配置しこの雌ねじ部材に螺合した尻栓とを有する。そして、この尻栓が第２嵌合部を有している。
【０００４】
この釣竿では、元竿の穂先側に連結される元上竿が穂先側に引き出された状態（以下「延伸状態」という）では元上竿の竿元外周面が第１嵌合部に嵌合固定され、元上竿が元竿内に挿入された状態（以下「収納状態」という）では元上竿の竿元外周面が尻栓の第２嵌合固定部に嵌合固定される。こうして、元竿と元上竿とは「延伸状態」，「収納状態」のいずれの状態においても互いに嵌合固定可能であり、状況に応じて竿全体の長さを変化させて釣りを行える。
【０００５】
【発明が解決しようとする課題】
従来の竿全体の長さを変化させて釣りを行えるように工夫した釣竿では、収納状態において元上竿が尻栓に嵌合固定されているため、尻栓に嵌合固定されている元上竿が周方向に回転すると尻栓も周方向に回転し、尻栓の元竿に対する螺合が緩まってしまう恐れがある。このため、元上竿の周方向回転によって尻栓の周方向回転が生じないように尻栓の周方向回転を規制する必要がある。一方で、尻栓の元竿に対する螺合を可能とするためには尻栓の周方向回転を担保する必要がある。
【０００６】
本発明の課題は、簡易な構造で竿体の周方向回転によって尻栓が緩んでしまうのを防止可能な竿体の嵌合構造を提供することにある。
【０００７】
【課題を解決するための手段】
発明１にかかる竿体の嵌合構造は、振出形式で連結される筒状の竿体の嵌合構造であって、竿元側端部内周面に直接形成された雌ねじ部と竿元側端部内周面に竿元側端面から軸方向に直接形成された係止溝とを有する大径竿体と、大径竿体の穂先側に振出形式で連結された小径竿体と、前記小径竿体の穂先側に振出形式で連結される穂先側竿体とを備え、大径竿体の雌ねじ部に脱着自在に連結される尻栓部材とを備えている。そして、この尻栓部材は、穂先側竿体の竿元側端部を嵌合可能な筒状部材であり外周面に係止溝に係止される係止突起を有するストッパーと、ストッパーの竿元側にストッパーに対して周方向に相対回転可能に連結され外周面に雌ねじ部と螺合する雄ねじ部を有する尻栓本体とを有し、小径竿体の穂先側に振出形式で連結される穂先側竿体をさらに備えている。また、大径竿体は雌ねじ部の穂先側に隣接する内周面に直接形成され、内径が小径化されるとともに前記小径竿体の竿元側端部外径に一致する嵌合雌部をさらに有している。そして、小径竿体の竿元側端部は嵌合雌部に嵌合され、穂先側竿体の竿元側端部は尻栓部材のストッパー内に嵌合される。
【０００８】
この構造では、小径竿体を大径竿体の穂先側に引き出した延伸状態においては、通常の振出形式の釣竿のように、小径竿体の竿元側外周面を大径竿体の穂先側内周面に嵌合させて固定する。そして、小径竿体を大径竿体内に挿入した収納状態においては、小径竿体の竿元端部を尻栓部材のストッパー内に挿入し嵌合させて固定する。
【０００９】
ここで、ストッパー外周面の係止突起が竿元側端部内周面に直接形成された係止溝に係止されることで、ストッパーは大径竿体に対して周方向に回転するのが規制される。そして、ストッパーに挿入され嵌合固定された小径竿体の周方向回転を規制する。一方、尻栓本体はストッパーに対して相対回転可能であり、ストッパーの周方向回転規制に影響を受けることなく周方向回転可能であり、竿元側端部内周面に直接形成された雌ねじ部に脱着自在に螺合する。このようにして、螺合のための尻栓本体の周方向回転を担保しつつ尻栓部材全体における緩みが防止できる。
【００１０】
また、大径竿体内周面に直接係止溝や雌ねじ部が形成されており、尻栓部材を大径竿体に螺合させるための部材を別途配置する必要がなく、構造が簡素化されコスト低下にもつながる。さらに、竿体の軽量化小径化にも好ましい。
【００１１】
この構造では、穂先側竿体，小径竿体，大径竿体の順に順次振出形式に収納される。
小径竿体を大径竿体の穂先側に引き出した延伸状態においては、通常の振出形式の釣竿のように、小径竿体の竿元側外周面を大径竿体の穂先側内周面に嵌合させて固定する。そして、小径竿体を大径竿体内に挿入した収納状態においては、小径竿体の竿元端部を大径竿体の嵌合雌部に嵌合して固定する。ここで、この嵌合雌部は大径竿体内周面に大径竿体の素材で一体的に形成されており、別途嵌合部材が配置されるものではないので、構造が簡略化され竿体の軽量化にも資する。
【００１２】
一方、穂先側竿体を小径竿体の穂先側に引き出した延伸状態においては、通常の振出形式の釣竿のように、穂先側竿体の竿元側外周面を小径竿体の穂先側内周面に嵌合させて固定する。そして、穂先側竿体を小径竿体及び大径竿体内に挿入した収納状態においては、穂先側竿体の竿元端部を尻栓部材のストッパー内に挿入し嵌合させて固定する。
【００１３】
ここで、ストッパー外周面の係止突起が竿元側端部内周面に直接形成された係止溝に係止されることで、ストッパーは大径竿体に対して周方向に回転するのが規制される。そして、ストッパーに挿入され嵌合固定された穂先側竿体の周方向回転を規制する。一方、尻栓本体はストッパーに対して相対回転可能であり、ストッパーの周方向回転規制に影響を受けることなく周方向回転可能であり、竿元側端部内周面に直接形成された雌ねじ部に脱着自在に螺合する。このようにして、螺合のための尻栓本体の周方向回転を担保しつつ尻栓部材全体における緩みが防止できる。また、大径竿体内周面に直接係止溝や雌ねじ部が形成されており、尻栓部材を大径竿体に螺合させるための部材を別途配置する必要がなく、構造が簡素化されコスト低下にもつながる。さらに、竿体の軽量化小径化にも好ましい。
【００１４】
発明２にかかる竿体の嵌合構造は、発明１の構造であって、ストッパーは内周面に配置された弾性部材をさらに有している。この場合には、ストッパー内周面に配置された弾性部材がストッパー内に挿入される小径竿体または穂先側竿体の嵌合固定時における損傷を抑える。発明３にかかる竿体の嵌合構造は、発明１の構造であって、ストッパーは内周面に軸方向に形成された係止突起をさらに有している。
【００１５】
この場合には、ストッパー内に挿入される小径竿体または穂先側竿体の嵌合固定時における接触面積を係止突起が低減して、小径竿体または穂先側竿体のストッパーへの固着を防止する。
【００１６】
【発明の実施の形態】
［第１実施形態］
以下、本発明の第１実施形態について図面を参照しつつ説明する。
本発明の第１実施形態を採用した中通し竿は、図１に示すように、元竿１と、元竿１の穂先側に連結された元上竿２と、元上竿２の穂先側に連結された第１中竿３，第２中竿４，第３中竿５と、第３中竿５の穂先側に連結された穂先竿６とを有している。これら元竿１〜穂先竿６は炭素繊維またはガラス繊維等に合成樹脂を含浸させたプリプレグから形成される先細り筒状部材である。そして、元上竿２〜穂先竿６は穂先側から順次竿元側の竿体の内部に挿入され出し入れ自在になっており、いわゆる振出形式で連結されている。また、穂先竿６の穂先側先端には釣糸を係止するための釣糸係止部７が連結されており、元竿１の竿元側端部には脱着自在に尻栓部材１０が配置されている。
【００１７】
図２及び図３に示すように、元竿１は、やや先細りのテーパが形成された筒状部材であり、竿元側端部内周面に形成された雌ねじ部２０と、雌ねじ部２０において竿元側端面から軸方向に形成された係止溝２１と、雌ねじ部２０の穂先側の内周面に周辺より肉厚かつ小径に形成された嵌合雌部２２とを有している。
雌ねじ部２０は元竿１の内周面を直接切削して形成されており、竿元側端面から穂先側にかけて形成される。この雌ねじ部２０に後述の尻栓部材１０が螺合することになる。また、この雌ねじ部２０がさらに直接切削されて係止溝２１が形成される。係止溝２１は周方向に１８０度離れて２カ所形成されている。
【００１８】
また、嵌合雌部２２は雌ねじ部２０に隣接してその穂先側内周面に元竿１の素材で元竿１に直接形成されている。具体的には元竿１を焼成し成型する際に部分的にプリプレグを厚く巻回して成形する。この嵌合雌部２２の内径は元上竿２の竿元側端部外径に一致しており、元上竿２が元竿１内に挿入される際（収納状態）に元上竿２の竿元側端部と嵌合しこれを固定する。さらに、この嵌合雌部２２には周方向に間隔を隔てて軸方向に延びる複数の溝２２ａが形成されており、元上竿２の竿元側端部が嵌合雌部２２に嵌合した際の接触面積を低減して固着を防止している。
【００１９】
なお、通常の並継ぎ竿と同様に、元竿１の穂先側端部内周面は他の部分よりやや肉厚に形成され内径が小径になるように成形されており（図示せず）、延伸状態においてこの穂先側端部が元上竿２の竿元側端部外周面と嵌合する。
図２及び図３に示すように、尻栓部材１０は、元竿１の雌ねじ部２０に脱着自在に螺合され装着された栓部材であって、合成樹脂製の筒状部材であるストッパー１１と、ストッパー１１の竿元側にストッパー１１に対して周方向に相対回転可能に連結され外周面に雄ねじ部を有する尻栓本体１２と、尻栓本体１２の竿元側端面を覆うように配置されたゴム栓１３とを有している。
【００２０】
ストッパー１１は穂先側が開口した筒状部材であり、その内径は第１中竿３の竿元側外周面に一致しこれが挿入され嵌合固定可能になっている。このストッパー１１の外周面には軸方向に延びる係止突起１４が周方向に１８０度離れて一体的に形成されており、元竿１の係止溝２１に係止可能になっている。また、ストッパー１１の竿元側端部には鍔部１１ａが形成されている。
【００２１】
尻栓本体１２は穂先側が開口し竿元側が閉口している略筒状部材である。その外径は元竿１の竿元側内径に合致しねじ山が形成された雄ねじ部であり元竿１の雌ねじ部２０に脱着自在に螺合する。また、穂先側端部には鍔部１２ａが形成されており、この鍔部１２ａがストッパー１１の鍔部１１ａに噛合してストッパー１１と尻栓本体１２とは周方向に相対回転自在になっている。さらに、竿元側端面には係止フランジ１２ｂが設けられており、この係止フランジ１２ｂにゴム栓１３が係止されて尻栓本体１２の竿元側端面を覆っている。
【００２２】
このように構成された釣竿では、穂先竿６〜元上竿２が順次振出形式に竿元側の竿体へ収納されると共に（収納状態）、使用時には順次穂先側に引き出されて嵌合固定され一本の釣竿として用いられる（延伸状態）。この延伸状態においては、通常の振出形式の釣竿のように、各竿体の竿元側外周面を他の竿体の穂先側内周面に嵌合させて固定する。さらにまた、元上竿２及び第１中竿３については収納状態においてもそれぞれ元竿１に嵌合固定され、▲１▼元上竿２のみを収納した状態、▲２▼元上竿２及び第１中竿３を収納した状態、の２段階に釣竿全体の長さを変化させつつ釣りをおこなうことが可能である。
【００２３】
具体的には、元上竿２を元竿１内に挿入した収納状態においては、元上竿２の竿元端部を元竿１の嵌合雌部２２に嵌合して固定する。ここで、この嵌合雌部２２は元竿１の内周面に元竿１の素材で一体的に形成されており、別途嵌合部材が配置されるものではないので、構造が簡略化され竿体の軽量化にも資する。さらに、嵌合雌部２２の溝２２ａが元竿１と元上竿２との固着を防止している。
【００２４】
第１中竿３を元上竿２を介して元竿１内に挿入した収納状態においては、第１中竿３の竿元端部を尻栓部材１０のストッパー１１内に挿入し嵌合させて固定する。ここで、ストッパー１１外周面の係止突起１４が元竿１の竿元側端部内周面に直接形成された係止溝２１に係止されることで、ストッパー１１は元竿１の周方向に回転するのが規制される。そして、ストッパー１１に挿入され嵌合固定された第１中竿３の周方向回転が規制されることになる。
【００２５】
一方で、尻栓本体１２はストッパー１１に対して相対回転可能であり、ストッパー１１の周方向回転規制に影響を受けることなく周方向回転可能であり、元竿１の竿元側端部内周面に直接形成された雌ねじ部２０に脱着自在に螺合する。このようにして、螺合のための尻栓本体１１の周方向回転を担保しつつ、第１中竿３の周方向回転を抑えることにより尻栓部材１０全体における緩みが防止できる。また、元竿１内周面に直接係止溝２１や雌ねじ部２０が形成されており、尻栓部材１０を元竿１に螺合させるための部材を別途配置する必要がなく、構造が簡素化されコスト低下にもつながる。さらに、竿体の軽量化小径化にも好ましい。
【００２６】
［第２実施形態］
以下、本発明の第２実施形態について図面を参照しつつ説明する。
本発明の第２実施形態を採用した中通し竿も、第１実施形態と同様に、元竿１と、元竿１の穂先側に連結された元上竿２と、元上竿２の穂先側に連結された第１中竿３，第２中竿４，第３中竿５と、第３中竿５の穂先側に連結された穂先竿６とを有している。そして、元竿１の竿元側端部には脱着自在に尻栓部材３０が配置されている。
【００２７】
図４に示すように、尻栓部材３０は、元竿１の雌ねじ部２０に脱着自在に螺合され装着された栓部材であって、合成樹脂製の筒状部材であるストッパー３１と、ストッパー３１の竿元側にストッパー３１に対して周方向に相対回転可能に連結され外周面に雄ねじ部を有する尻栓本体３２と、尻栓本体３２の竿元側端面を覆うように配置されたゴム栓３３とを有している。
【００２８】
ストッパー３１は穂先側が開口した筒状部材であり、その内径は第１中竿３の竿元側外周面に対してやや大径に形成される。そして、このストッパー３１の内周面に沿って略筒状の弾性部材３５が接着剤等で接着固定される。弾性部材３５は、例えば、スチレンゴムやポリウレタンゴムからなる円柱形の部材であり、ストッパー３１に挿入され嵌合固定される第１中竿３の外周面を保護している。さらに、このストッパー３１の外周面には軸方向に延びる係止突起３４が周方向に１８０度離れて一体的に形成されており、元竿１の係止溝２１に係止可能になっている。
【００２９】
なお、その他の構成は第１実施形態と実質的に同様である。
このように構成された釣竿では、第１実施形態と同様の作用効果を奏すると共に、ストッパー３１に挿入され嵌合固定される第１中竿３の外周面を保護しその損傷を防止し得る。
［他の実施形態］
（ａ）図５に示すように、ストッパー４１の内周面に周方向に間隔を隔てて軸方向に延びる複数の突起４１ａを形成してもよい。このように突起４１ａを形成して、ストッパー４１内に挿入固定される他の竿体との接触面積を低減して竿体間の固着を防止し得る。
（ｂ）上記実施形態においては、元竿１に嵌合雌部２２を形成して、元上竿２及び第１中竿３については収納状態においてもそれぞれ元竿１に嵌合固定され、２段階に釣竿全体の長さを変化させつつ釣りをおこなうことが可能な釣竿を例示した。しかし、元竿１に嵌合雌部２２を設けることなく元上竿２のみを収納状態でも固定可能とする１段方式を採用してもよい。この場合は、元上竿２が尻栓部材１０に嵌合固定されることになる。
（ｃ）嵌合雌部２２には溝２２ａを別段設けなくてもよい。
【００３０】
【発明の効果】
本発明に係る嵌合構造によれば、簡易な構造で、穂先側に位置する竿体を収納状態において元竿の尻栓で嵌合固定した際の尻栓の緩みを防止できる。
【図面の簡単な説明】
【図１】本発明の第１実施形態を採用した釣竿の全体図。
【図２】図１の竿元側付近の拡大図。
【図３】図１の竿元側付近の拡大断面図。
【図４】本発明の第２実施形態を採用した釣竿の竿元側付近の拡大図。
【図５】本発明の他の実施形態を採用した釣竿のストッパーの正面図。
【符号の説明】
１  元竿
２  元上竿
３  第１中竿
１０，３０  尻栓部材
１１，３１，４１  ストッパー
１２，３２  尻栓本体
１４，３４  係止突起
２０  雌ねじ部
２１  係止溝
２２  嵌合雌部
３５  弾性部材
【図１】
0004382237.tif 000002
【図２】
0004382237.tif 000003
【図３】
0004382237.tif 000004
【図４】
0004382237.tif 000005
【図５】
0004382237.tif 000006